(57)【要約】【課題】  小型で軽量化された携帯型電子機器を提供することである。【解決手段】  表示部３０に表示され、光源２２から射出される光により投影用光学像として読み出された画像を第１方向へ投影する投影光学系３２と、前記投影用光学像の投影方向を第２方向へ切り替える切替部材３４と、前記第２方向に切り替えられた前記投影用光学像を観察する接眼レンズ３６とを備える。【選択図】  図２
2009232191.tif 000002
【特許請求の範囲】
【請求項１】
表示部に表示され、光源から射出される光により投影用光学像として読み出された画像を第１方向へ投影する投影光学系と、
前記投影用光学像の投影方向を第２方向へ切り替える切替部材と、
前記第２方向に切り替えられた前記投影用光学像を観察する接眼レンズと、
を備えることを特徴とする携帯型電子機器。
【請求項２】
前記投影方向を第２方向に切り替えた場合に、前記表示部において表示される画像を反転させることを特徴とする請求項１記載の携帯型電子機器。
【請求項３】
表示部に表示され、光源から射出される光により投影用光学像として読み出された画像を投影する投影光学系と、
前記投影用光学像の投影方向を第１方向または第２方向へ切り替える切替部材と、
前記第２方向に切り替えられた前記投影用光学像を観察する接眼レンズと、
を備えることを特徴とする携帯型電子機器。
【請求項４】
前記切替部材は、前記投影光学系の投影側に配置されていることを特徴とする請求項１〜３の何れか一項に記載の携帯型電子機器。
【請求項５】
前記投影方向を第２方向に切り替えた場合に、前記光源から射出される光の光量を減少させることを特徴とする請求項１〜４の何れか一項に記載の携帯型電子機器。
【請求項６】
前記切替部材と前記接眼レンズとの間に減光フィルタを備えることを特徴とする請求項１〜４の何れか一項に記載の携帯型電子機器。
【請求項７】
前記接眼レンズは、取り外し可能であることを特徴とする請求項１〜６の何れか一項に記載の携帯型電子機器。
【請求項８】
被写体を撮像する撮像素子と、
前記撮像素子で撮像されて表示部に表示され、光源から射出される光により投影用光学像として読み出された画像を第１方向へ投影する投影光学系と、
前記投影用光学像の投影方向を第２方向へ切り替える切替部材と、
前記第２方向に切り替えられた前記投影用光学像を観察する接眼レンズと、
を備えることを特徴とする撮像装置。
【請求項９】
前記投影方向を第２方向に切り替えた場合に、前記表示部において表示される画像を反転させることを特徴とする請求項８記載の撮像装置。
【請求項１０】
被写体を撮像する撮像素子と、
前記撮像素子で撮像されて表示部に表示され、光源から射出される光により投影用光学像として読み出された画像を投影する投影光学系と、
前記投影用光学像の投影方向を第１方向または第２方向へ切り替える切替部材と、
前記第２方向に切り替えられた前記投影用光学像を観察する接眼レンズと、
を備えることを特徴とする撮像装置。
【請求項１１】
前記切替部材は、前記投影光学系の投影側に配置されていることを特徴とする請求項８〜１０の何れか一項に記載の撮像装置。
【請求項１２】
前記切替部材により前記投影用光学像の投影方向を第２方向に切り替えた場合に、前記光源から射出される光の光量を減少させることを特徴とする請求項８〜１１の何れか一項に記載の撮像装置。
【請求項１３】
前記切替部材と前記接眼レンズとの間に減光フィルタを備えることを特徴とする請求項８〜１１の何れか一項に記載の撮像装置。
【請求項１４】
前記接眼レンズは、取り外し可能であることを特徴とする請求項８〜１３の何れか一項に記載の撮像装置。
【発明の詳細な説明】
【技術分野】
【０００１】
本発明は、プロジェクタユニットを備えた携帯型電子機器及び撮像装置に関するものである。
【背景技術】
【０００２】
従来、撮影画像を投影可能なプロジェクタユニットを備える撮像装置が知られている（例えば、特許文献１参照）。このような撮像装置においては、プロジェクタ機能を用いることにより、撮影画像を多くの人が一度に楽しむことができる。  
【特許文献１】特開２００５−２５０３９２号公報
【発明の開示】
【発明が解決しようとする課題】
【０００３】
上述の撮像装置においては、画像の投影を行うプロジェクタユニットと被写体の撮像を行う撮影部とが別々のユニットとして形成され、１つの筐体内に収容されているため、カメラ本体が大型化するという問題点があった。
【０００４】
本発明の目的は、プロジェクタ機能を有し、小型で軽量化された携帯型電子機器及び撮像装置を提供することである。
【課題を解決するための手段】
【０００５】
本発明の携帯型電子機器は、表示部に表示され、光源から射出される光により投影用光学像として読み出された画像を第１方向へ投影する投影光学系と、前記投影用光学像の投影方向を第２方向へ切り替える切替部材と、前記第２方向に切り替えられた前記投影用光学像を観察する接眼レンズとを備えることを特徴とする。
【０００６】
また、本発明の携帯型電子機器は、表示部に表示され、光源から射出される光により投影用光学像として読み出された画像を投影する投影光学系と、前記投影用光学像の投影方向を第１方向または第２方向へ切り替える切替部材と、前記第２方向に切り替えられた前記投影用光学像を観察する接眼レンズとを備えることを特徴とする。
【０００７】
また、本発明の撮像装置は、被写体を撮像する撮像素子と、前記撮像素子で撮像されて表示部に表示され、光源から射出される光により投影用光学像として読み出された画像を第１方向へ投影する投影光学系と、前記投影用光学像の投影方向を第２方向へ切り替える切替部材と、前記第２方向に切り替えられた前記投影用光学像を観察する接眼レンズとを備えることを特徴とする。
【０００８】
また、本発明の撮像装置は、被写体を撮像する撮像素子と、前記撮像素子で撮像されて表示部に表示され、光源から射出される光により投影用光学像として読み出された画像を投影する投影光学系と、前記投影用光学像の投影方向を第１方向または第２方向へ切り替える切替部材と、前記第２方向に切り替えられた前記投影用光学像を観察する接眼レンズとを備えることを特徴とする。
【発明の効果】
【０００９】
本発明の携帯型電子機器及び撮像装置によれば、プロジェクタ機能を有する装置の小型化、軽量化を図ることができる。
【発明を実施するための最良の形態】
【００１０】
以下、図面を参照して本発明の実施の形態に係るカメラ（撮像装置）について説明する。図１は、実施の形態に係るカメラの背面の構成を示す図である。カメラ２の上部には、電源スイッチ６、レリーズ動作を指示するシャッタボタン８及び光学像の投影方向を切り替える切替ボタン１０が設けられている。カメラ２の背面には、ファインダ像を観察するためのファインダ接眼窓１２、撮像された画像、撮影条件等を表示するＬＣＤ表示部１４、ＬＣＤ表示部１４に表示された撮影条件等を選択するマルチセレクタ１６等が備えられている。また、カメラ２の側面（図１における左側面）には、投影用光学像を投影するためのプロジェクタ投影窓１８が設けられている。更に、カメラ２の内部には、投影装置及び電子ビューファインダ（ＥＶＦ）としての機能を有するプロジェクタユニット２０が備えられている。
【００１１】
図２は実施の形態に係るプロジェクタユニットの構成を示す図である。プロジェクタユニット２０は、ファインダ接眼窓１２、プロジェクタ投影窓１８、電子ビューファインダ及びプロジェクタの光源であるＬＥＤ（発光ダイオード）２２、ＬＥＤ２２から射出された光を略平行とするための集光レンズ２４、集光レンズ２４からの光のＰ偏光成分とＳ偏光成分のうちＰ偏光成分のみを透過する偏光板２６、入射した光をＰ偏光成分とＳ偏光成分とに分離する偏光ビームスプリッタ２８、投影用の画像を表示するＬＣＯＳ（反射型液晶素子）３０、ＬＣＯＳ３０から読み出された投影用光学像を投影する投影レンズ（投影光学系）３２、投影用光学像の投影方向を切り替えるミラー（切替部材）３４、ファインダ接眼窓１２方向へ投影方向を切替えた場合に投影用光学像を観察するための接眼レンズ３６、ミラー３４の移動の完了を検知するためのミラー位置センサ３８ａ，３８ｂ、ミラー３４を駆動させるミラー駆動部４０を備えている。また、投影レンズ３２を光軸方向へ移動させ、スクリーン等に投影された投影用光学像のサイズを調節するための投影レンズ移動部４２を備えている。
【００１２】
図３は本実施の形態に係るＬＣＯＳの構成を示す図である。図３に示すように、ＬＣＯＳ３０は、ガラス基板４６上に形成された液晶分子の向きを揃える配向膜４８と、基板５０上に形成されガラス基板４６側から入射した光を反射する反射膜５２との間に画像を表示する液晶層５４とを有している。
【００１３】
図４は、実施の形態に係るカメラのシステム構成を示すブロック図である。カメラ２にはＣＰＵ５６が設けられており、ＣＰＵ５６には、操作部５８、投影部６０及び撮像部６２が接続されている。操作部５８には、電源スイッチ６、シャッタボタン８、切替ボタン１０、ＬＣＤ表示部１４、マルチセレクタ１６が設けられている。また、投影部６０には、ＬＣＯＳ３０、ミラー位置センサ３８ａ，３８ｂ、ミラー駆動部４０、投影レンズ移動部４２、ＬＥＤ２２のＯＮ／ＯＦＦの制御及び光量の制御を行う電源制御部６４が設けられている。更に、撮像部６２には、被写体を撮像して撮像信号（蓄積電荷としてのアナログ信号）を生成するＣＣＤ或いはＣＭＯＳ等により構成される撮像素子６６、撮像素子６６から出力された撮像信号を、図示しないＡ／Ｄ変換部においてＡ／Ｄ変換して撮影画像の画像データを生成し、この画像データを一時的に記憶する画像データ記憶部６８、撮像素子６６から出力される撮像信号に基づく画像データに、ホワイトバランス調整、輪郭補償、ガンマ補正等の画像処理を行う画像処理部７０、撮影画像を記憶するメモリカード７２が設けられている。
【００１４】
次に図５のフローチャートを参照して、カメラ２による被写体の撮像時及び画像のプロジェクタ投影時の処理について説明する。操作者により電源スイッチ６が操作され、カメラ２の電源がＯＮにされ（ステップＳ１）、切替ボタン１０が操作されることにより、投影用光学像の投影を行うプロジェクタモードまたは被写体の撮像を行う撮影モードが選択される（ステップＳ２）。
【００１５】
ステップＳ２において、プロジェクタモードが選択されると、ミラー３４はミラー駆動部４０により駆動され、プロジェクタ投影窓１８と投影レンズ３２との間から退避する。ミラー３４の移動が完了すると、ミラー位置センサ３８ａによりミラー３４の退避完了が検知され（ステップＳ３）、ＬＣＤ表示部１４にメモリカード７２に記憶されている撮影画像が表示される（ステップＳ４）。操作者はマルチセレクタ１６を操作することにより、撮影画像を選択する（ステップＳ５）。撮影画像が選択されると、選択された撮影画像は、ＬＣＯＳ３０に表示され（ステップＳ６）、電源制御部６４によりＬＥＤ２２に電量が供給されることによりＬＥＤ２２が点灯され、通常の光量の光が射出される（ステップＳ７）。
【００１６】
ＬＥＤ２２から射出された光は集光レンズ２４により略平行光とされ、略平行光とされた光は偏光板２６によりＰ偏光成分のみが透過され、偏光ビームスプリッタ２８に入射する。Ｐ偏光成分の光は、偏光ビームスプリッタ２８を透過し、ＬＣＯＳ３０に入射する。ＬＣＯＳ３０に入射した光は液晶層５４を進行し、反射膜５２で反射された後、液晶層５４を逆方向に進行してＬＣＯＳ３０から射出される。ＬＣＯＳ３０から射出された光は、偏光ビームスプリッタ２８に再度入射する。ＬＣＯＳ３０の液晶層は電圧が印加されると、位相板として機能し、Ｐ偏光成分の光をＳ偏光成分の光に変換する。従って、偏光ビームスプリッタ２８へ再度入射する光は、Ｐ偏光成分とＳ偏光成分との混合光となっている。偏光ビームスプリッタ２８は、再入射された光のうちＳ偏光成分の光のみを偏光分離部で反射し、反射されたＳ偏光成分の光は投影レンズ３２に入射する。即ち、ＬＣＯＳ３０において表示された画像がＬＥＤ２２から射出された光により投影用光学像として読み出され、投影レンズ３２により、第１方向へ投影され、プロジェクタ投影窓１８を介してスクリーン等に投影される（ステップＳ８）。また、マルチセレクタ１６の操作によって、投影レンズ移動部４２が移動すると、投影レンズ３２の位置が移動し、投影する画像のサイズを調整することができる。投影する画像を変更する場合には、電源制御部６４によりＬＥＤ２２が消灯された状態で（ステップＳ９）、画像の選択を再度行い（ステップＳ５）、ステップＳ６〜ステップＳ８の処理を行う。なお、画像の投影を終了する場合には、電源制御部６４によりＬＥＤ２２を消灯して、プロジェクタモードによる処理を終了する。
【００１７】
ステップＳ２において撮影モードが選択された場合には、ミラー３４はミラー駆動部４０により駆動され、プロジェクタ投影窓１８と投影レンズ３２との間に移動する。ミラー３４の移動が完了すると、ミラー位置センサ３８ｂによりミラー３４の移動完了が検知され（ステップＳ１０）、電源制御部６４によってＬＥＤ２２が点灯され、減光された光量で光が射出される（ステップＳ１１）。このとき、ＬＣＯＳ３０には撮像素子６６から出力された撮像信号によって生成された撮像画像が表示される。なお、ミラー３４により反射されると、ＬＣＯＳ３０から読み出された投影用光学像は、左右反転された状態となるため、ＬＣＯＳ３０に表示される画像は、ステップＳ６におけるプロジェクタ投影時の表示を左右反転した表示とする（ステップＳ１２）。そして、ＬＥＤ２２から射出された光により、プロジェクタ投影時と同様に、ＬＣＯＳ３０において表示されている撮像画像を投影用光学像として読み出し、投影レンズ３２に入射させる。投影レンズ３２により投影された投影用光学像は、ミラー３４で反射されることにより、投影方向が第２方向へ切り替えられる（ステップＳ１３）。従って、第２方向へ投影方向が切り替えられた投影用光学像は、ファインダ接眼窓１２に配置された接眼レンズ３６を介して観察することができる。即ち、プロジェクタユニット２０は、カメラ２の電子ビューファインダ（ＥＶＦ）として用いられる。
【００１８】
シャッタボタン６の操作により、被写体が撮像されると、撮影画像は画像データ記憶部６８に一時的に記憶されるとともにＬＣＤ表示部１４に表示され、その後、メモリカード７２に記憶される（ステップＳ１４）。ステップＳ１４の撮影動作は繰り返すことができ、撮影を終了する場合には、電源制御部６４によってＬＥＤ２２が消灯される（ステップＳ９）。
【００１９】
なお、ミラー３４の移動中、即ち、ミラー位置センサ３８ａまたは３８ｂにより、ミラーの移動完了が検知されていないときは、ＬＥＤ２２を消灯するか、もしくは、点灯していても僅かな光量の光のみを射出する状態とする。即ち、プロジェクタ投影又は撮影を終了し、切替ボタン１０の操作によってプロジェクタモードと撮影モードとを切り替える場合に、電力消費を抑えることができる。
【００２０】
また、本実施の形態において、投影方向が第２方向の場合にはＬＥＤ２２から射出される光を減光状態としているが、図６に示すようにミラー３４と接眼レンズ３６との間に減光フィルタ７４を配置することにより減光を行ってもよい。
【００２１】
また、接眼レンズ３６を取り外し可能な構成としてもよい。接眼レンズ３６を取り外し、第２方向へ画像の投影をするときには、ＬＥＤ２２から射出される光を通常の光量とする。これにより、ファインダ接眼窓１２を介してプロジェクタ投影を行うことができる。
【００２２】
また、本実施の形態においては、カメラ２の側面にプロジェクタ投影窓１８を配置し、プロジェクタ投影方向をカメラ２の側面となるようにプロジェクタユニット２０を配置したが、図７に示すようにカメラ２の上面にプロジェクタ投影窓１８を配置し、プロジェクタ投影方向がカメラ２の上方となるようにプロジェクタユニット２０を配置してもよい。この場合、プロジェクタ投影窓１８から投影された投影用光学像を図示しないスクリーンに投影せずに直接観察するウエストレベル投影を行うこともできる。この場合には、ＬＥＤ２２から射出される光の光量をウエストレベル投影に適した光量に設定する。また、プロジェクタユニット２０のプロジェクタ投影方向をカメラ２の前面としてもよい。
【００２３】
また、図８に示すように、プロジェクタユニット２０が投影用光学像の投影方向を変更する図示しないミラーを有する回転部材７６を備えてもよい。この場合には、回転部材７６を回転させることで、上方に向かって投影された投影用光学像の投影方向をプロジェクタ投影窓１８方向（第１方向）または、ファインダ接眼窓１２方向（第２方向）に変更することができる。第１方向に投影する場合には、プロジェクタ投影窓１８から投影用光学像の投影を行い、第２方向に投影する場合には、接眼レンズ３６を介して投影光学像の観察を行う。
【図面の簡単な説明】
【００２４】
【図１】本発明の実施の形態に係るカメラの外観を示す図である。
【図２】本発明の実施の形態に係るプロジェクタユニットの構成を示す図である。
【図３】本実施の形態に係るＬＣＯＳの構成を示す図である。
【図４】本発明の実施の形態に係るカメラのシステム構成を示すブロック構成図である。
【図５】本発明の実施の形態に係るカメラの撮影モード時及びプロジェクタモード時の処理を示すフローチャートである。
【図６】本発明の実施の形態に係るプロジェクタユニットの変形例の構造を示す図である。
【図７】本発明の実施の形態に係るプロジェクタユニットの配置の変形例を示す図である。
【図８】本発明の実施の形態に係るプロジェクタユニットの変形例を示す図である。
【符号の説明】
【００２５】
２・・・カメラ、１０・・・切替ボタン、１２・・・ファインダ接眼窓、１８・・・プロジェクタ投影窓、２０・・・プロジェクタユニット、２２・・・ＬＥＤ、２８・・・偏光ビームスプリッタ、３０・・・ＬＣＯＳ、３２・・・投影レンズ、３４・・・ミラー、３６・・・接眼レンズ、５６・・・ＣＰＵ、６６・・・撮像素子、７６・・・回転部材。
【図１】
2009232191.tif 000003
【図２】
2009232191.tif 000004
【図３】
2009232191.tif 000005
【図４】
2009232191.tif 000006
【図５】
2009232191.tif 000007
【図６】
2009232191.tif 000008
【図７】
2009232191.tif 000009
【図８】
2009232191.tif 000010